【手続補正書】
【提出日】平成28年12月5日(2016.12.5)
【手続補正１】
【補正対象書類名】明細書
【補正対象項目名】０６２９
【補正方法】変更
【補正の内容】
【０６２９】
１つの例示的実施形態では、本体１７０２には、クランプに負荷を加える方法が含まれる。１つの例示的実施形態では、負荷は医療用デバイスである。いくつかの実施形態では、医療用デバイスは、蠕動注入ポンプ又はシリンジ注入ポンプである。１つの例示的実施形態では、クランプ装置１７００は、医療用デバイスを支持支柱に取り付けるよう構成される。１つの実施形態では、支柱はＩＶポールとすることができる。１つの実施形態では、医療用デバイスは、タブレットコンピュータを具備するモニタである。
本発明の第１の態様は、
第１の端部及び第２の端部を有する少なくとも１つの支持支柱と、
前記支持支柱の前記第１の端部に取り付けられた、クランプアセンブリ、ハンガー、又は、ハンドルのうちの少なくとも１つと、
少なくとも１つの実装型コネクタと、
前記支持支柱に動作可能に取り付けられた少なくとも１つの位置合わせ機能と、
前記支持支柱の前記第２の端部に取り付けられたベース部材と、
を具備するラック装置である。
本発明の第２の態様は、
前記少なくとも１つの実装型コネクタのうちの少なくとも１つは、医療用デバイスコネクタと動作可能にかみ合うよう構成されていることを特徴とする、第１の態様のラック装置である。
本発明の第３の態様は、
前記少なくとも１つの位置合わせ機能のうちの少なくとも１つは、前記医療用デバイスコネクタを、前記少なくとも１つの実装型コネクタのうちの少なくとも１つと揃えるよう構成されていることを特徴とする、第２の態様のラック装置である。
本発明の第４の態様は、
前記少なくとも１つの位置合わせ機能のうちの少なくとも１つは、前記支持支柱上のつばに含まれることを特徴とする、第１の態様のラック装置である。
本発明の第５の態様は、
前記ラック装置はさらに、電源システムを具備することを特徴とする、第１の態様のラック装置である。
本発明の第６の態様は、
前記電源システムは、少なくとも１つの実装型コネクタを介して少なくとも１つの医療用デバイスに電源供給を行うよう構成されていることを特徴とする、第５の態様のラック装置である。
本発明の第７の態様は、
前記ラック装置はさらに、少なくとも１つの実装型コネクタを介して、取り付けられた医療用デバイスが少なくとも１つの他の取り付けられた医療用デバイスと通信できるように構成された通信システムを具備することを特徴とする、第１の態様のラック装置である。
本発明の第８の態様は、
前記通信システムは、ＣＡＮバスプロトコル及びＵＳＢバスプロトコルのうちの少なくとも１つを用いるよう構成されていることを特徴とする、第７の態様のラック装置である。
本発明の第９の態様は、
前記ベース部材は、
電源コネクタと、
電源と、
前記電源コネクタ及び前記電源と電気的に接続する主電源ケーブルと、
前記電源及び前記少なくとも１つの実装型コネクタと接続する少なくとも１つの通信ケーブルと、
を具備することを特徴とする、第１の態様のラック装置である。
本発明の第１０の態様は、
前記支持支柱は、クランプを受け入れるよう構成され、該クランプは、
第１のトラック及び第２のトラックを含むハウジングと、
前記ハウジングに取り付けられた固定把持部と、前記ハウジングの前記第１のトラック及び前記第２のトラック内で摺動するように構成されている駆動部と、
前記駆動部に動作可能に取り付けられた可動把持部と、
前記駆動部を第１の位置に向かって動かし、それにより、前記可動把持部を前記固定把持部に向かって動かすよう構成されているアクチュエータであって、該アクチュエータはさらに、前記駆動部第２の位置に向かって動かし、それにより、前記可動把持部を前記固定把持部から離すよう構成されていることを特徴とするアクチュエータと、
を具備することを特徴とする、第１の態様のラック装置である。
本発明の第１１の態様は、
前記クランプは、医療用デバイスを前記ラック装置の前記支持支柱に取り付けるよう構成されていることを特徴とする、第１０の態様のラック装置である。
本発明の第１２の態様は、
医療用デバイスコネクタが前記クランプに設置され、前記医療用デバイスへのネットワーク接続及び電源のうちの少なくとも１つを受け取るための少なくとも１つの実装型コネクタのうちの少なくとも１つと動作可能に嵌合するよう構成されていることを特徴とする、第１１の態様のラック装置である。
本発明の第１３の態様は、
前記ラック装置は、ＩＶポールに取り付けるよう構成されていることを特徴とする、第１の態様のラック装置である。
本発明の第１４の態様は、
前記少なくとも１つの支持支柱は、ＩＶポールであることを特徴とする、第１の態様のラック装置である。
本発明の第１５の態様は、
前記ベース部材はさらに、少なくとも１つの車輪を具備することを特徴とする、第１の態様のラック装置である。
本発明の第１６の態様は、
ラック装置であって、
第１の端部及び第２の端部を有する、少なくとも１つの支持支柱と、
前記支持支柱の前記第１の端部に取り付けられたクランプアセンブリ、ハンガー、又はハンドルのうちの少なくとも１つと、
少なくとも１つの実装型コネクタと、
前記少なくとも１つの支持支柱に動作可能に取り付けられた少なくとも１つの位置合わせ機能と、
前記支持支柱の前記第２の端部に取り付けられたベース部材と、
を具備することを特徴とするラック装置と、
前記少なくとも１つの支持支柱で把持されるよう構成されているクランプであって、該クランプは、
第１のトラック及び第２のトラックを含むハウジングと、
前記ハウジングに取り付けられた固定把持部と、
前記ハウジングの前記第１のトラック及び前記第２のトラック内で摺動するよう構成されている駆動部と、
前記駆動部に動作可能に取り付けられた可動把持部と、
を具備することを特徴とするクランプと、
前記駆動部を第１の位置に向かって動かし、それにより、前記可動把持部を前記固定把持部に向かって動かすよう構成されているアクチュエータであって、該アクチュエータはさらに、前記駆動部第２の位置に向かって動かし、それにより、前記可動把持部を前記固定把持部から離すよう構成されていることを特徴とするアクチュエータと、
を具備するシステムである。
本発明の第１７の態様は、
前記少なくとも１つの実装型コネクタのうちの少なくとも１つは、医療用デバイスコネクタと動作可能に嵌合するよう構成されていることを特徴とする、第１６の態様のシステムである。
本発明の第１８の態様は、
前記少なくとも１つの位置合わせ機能のうちの少なくとも１つは、前記医療用デバイスコネクタを前記少なくとも１つの実装型コネクタの少なくとも１つと揃えるよう構成されていることを特徴とする、第１７の態様のシステムである。
本発明の第１９の態様は、
前記医療用デバイスコネクタは、前記クランプの前記固定把持部又は前記可動把持部のうちの１つに設置されることを特徴とする、第１７の態様のシステムである。
本発明の第２０の態様は、
前記医療用デバイスコネクタは、前記医療用デバイスへのネットワーク接続及び電源のうちの少なくとも１つを受け取るための少なくとも１つの実装型コネクタのうちの少なくとも１つと動作可能に嵌合するよう構成されていることを特徴とする、第１９の態様のシステムである。
本発明の第２１の態様は、
医療用デバイスは、タブレットコンピュータを具備する患者観察装置であることを特徴とする、第２０の態様のシステムである。
本発明の第２２の態様は、
本体と、
それぞれのハンドルが前記本体に動作可能に取り付けられた第１のハンドル及び第２のハンドルと、
前記第１のハンドル及び前記第２のハンドルに取り付けられた第２の可動把持部に取り付けられた第１の可動把持部と、
前記第１のハンドルに動作可能に取り付けられた第１のギアセット及び前記第２のハンドルに動作可能に取り付けられた第２のギアセットであって、該第１のギアセットは、該第２のギアセットに動作可能にかみ合うことを特徴とする、第１のギアセット及び第２のギアセットと、
前記第１のハンドル及び前記第２のハンドルに動作可能にかみ合う少なくとも１つのバイアス部材であって、該少なくとも１つのバイアス部材は、前記第１の可動把持部及び第２の可動把持部をクランプ位置に動かすよう構成されていることを特徴とする、少なくとも１つのバイアス部材と、
を具備するクランプ装置である。
本発明の第２３の態様は、
前記第１のギアセットは、上部第１のギア及び下部第１のギアを具備し、前記第２のギアセットは、上部第２のギア及び下部第２のギアを具備することを特徴とする、第２２の態様のクランプ装置である。
本発明の第２４の態様は、
前記上部第１のギア及び前記下部第１のギアは、固定されて取り付けられていることを特徴とする、第２３の態様のクランプ装置である。
本発明の第２５の態様は、
前記上部第１のギア及び前記下部第１のギアは、同調して動くよう構成されていることを特徴とする、第２４の態様のクランプ装置である。
本発明の第２６の態様は、
前記第１のギアセット及び前記第２のギアセットは、回転可能に前記本体に取り付けられていることを特徴とする、第２５の態様のクランプ装置である。
本発明の第２７の態様は、
前記第１のハンドル及び前記第２のハンドルは、前記本体から離れて窪みがあることを特徴とする、第２２の態様のクランプ装置である。
本発明の第２８の態様は、
本体と、
前記本体に動作可能に取り付けられた第１のハンドル及び第２のハンドルと、
前記第１のハンドルに取り付けられた第１の可動把持部及び前記第２のハンドルに取り付けられた第２の可動把持部と、
前記第１のハンドルに動作可能に取り付けられた第１のギアセット及び前記第２のハンドルに動作可能に取り付けられた第２のギアセットであって、該第１のギアセットは、該第２のギアセットに動作可能にかみ合うことを特徴とする、第１のギアセットと、
前記第１のハンドル及び前記本体に動作可能にかみ合う第１のバイアス部材であって、前記第１の少なくとも１つのバイアス部材は、前記第１の可動把持部をクランプ位置に動かすよう構成されていることを特徴とする、第１のバイアス部材と、
前記第２のハンドル及び前記本体に動作可能にかみ合う第２の少なくとも１つのバイアス部材であって、該第２の少なくとも１つのバイアス部材は、前記第２の可動把持部をクランプ位置に動かすよう構成されていることを特徴とする、第２の少なくとも１つのバイアス部材と、
を具備するクランプ装置である。
本発明の第２９の態様は、
前記第１のギアセット及び前記第２のギアセットは前記本体に回転可能に取り付けられていることを特徴とする、第２８の態様のクランプ装置である。
本発明の第３０の態様は、
前記第１のハンドル及び前記第２のハンドルは、前記本体に向かって窪みがあることを特徴とする、第２８の態様のクランプ装置である。
本発明の第３１の態様は、
前記第１の少なくとも１つのバイアス部材及び前記第２の少なくとも１つのバイアス部材はばねであることを特徴とする、第２８の態様のクランプ装置である。
本発明の第３２の態様は、
前記第１の少なくとも１つのバイアス部材及び前記第２の少なくとも１つのバイアス部材はそれぞれ少なくとも１つのねじりばねであることを特徴とする、第３１の態様のクランプ装置である。
本発明の第３３の態様は、
前記第１の少なくとも１つのバイアス部材及び前記第２の少なくとも１つのバイアス部材はそれぞれ複数のねじりばねの配列であることを特徴とする、第２８の態様のクランプ装置である。
本発明の第３４の態様は、
本体と、
前記本体に動作可能に取り付けられた第１のハンドル及び第２のハンドルと、
前記第１のハンドルに動作可能に取り付けられた第１のギアセット及び前記第２のハンドルに動作可能に取り付けられた第２のギアセットであって、前記第１のギアセットは前記第２のギアセットに動作可能にかみ合うよう構成されていることを特徴とするギアセットと、
各々が前記本体に動作可能に取り付けられた第１の可動把持部及び第２の可動把持部と、
前記第１の可動把持部に動作可能に取り付けられた第３のギアセット及び前記第２の可動把持部に動作可能に取り付けられた第４のギアセットであって、前記第３のギアセットは前記第４のギアセットに動作可能にかみ合うことを特徴とするギアセットと、
前記第３のギアセット及び前記第４のギアセットに動作可能にかみ合うよう構成されている少なくとも１つのバイアス部材であって、該少なくとも１つのバイアス部材は、前記第１の可動把持部及び前記第２の可動把持部をクランプ位置に動かすよう構成されていることを特徴とするバイアス部材と、
を具備するクランプ装置である。
本発明の第３５の態様は、
前記第１のギアセット及び前記第２のギアセットは、回転可能に前記本体に取り付けられていることを特徴とする、第３４の態様のクランプ装置である。
本発明の第３６の態様は、
前記第３のギアセット及び前記第４のギアセットは、回転可能に前記本体に取り付けられていることを特徴とする、第３４の態様のクランプ装置である。
本発明の第３７の態様は、
前記第１のギアセット及び前記第３のギアセットは、回転可能に前記本体に取り付けられ、回転軸を共有していることを特徴とする、第３４の態様のクランプ装置である。
本発明の第３８の態様は、
前記第３のギアセット及び前記第４のギアセットは、回転可能に前記本体に取り付けられ、回転軸を共有していることを特徴とする、第３４の態様のクランプ装置である。
本発明の第３９の態様は、
前記第１のギアセット及び前記第２のギアセットは、第１の施錠アセンブリを形成し、
前記第１のギアセットに取り付けられた第１のフックと、
前記第２のギアセットに取り付けられた第２のフックと、
前記第３のギアセットに取り付けられた第１の取っ手であって、前記第１のフックは、前記第１の可動把持部及び前記第２の可動把持部が前記クランプ位置にあるとき、前記第１の取っ手の位置にロックすることを特徴とする第１の取っ手と、
前記第４のギアセットに取り付けられた第２の取っ手であって、前記第２のフックは、前記第１の可動把持部及び前記第２の可動把持部が前記クランプ位置にあるとき、前記第２の取っ手の位置にロックすることを特徴とする第２の取っ手と、
を具備することを特徴とする、第３４の態様のクランプ装置である。
本発明の第４０の態様は、
前記第１の取っ手及び前記第１のフック、及び、前記第２の取っ手及び前記第２のフックは、次に来る前記第１の把持部及び前記第２の把持部の回転動作に先立ち、前記第１のハンドル及び前記第２のハンドルの回転動作を許容するよう構成されていることを特徴とする、第３９の態様のクランプ装置である。
本発明の第４１の態様は、
前記第１のハンドル及び前記第２のハンドルの前記回転動作により、前記第１の把持部及び前記第２の把持部の回転動作を許容する、ロックを解く機能を実行するよう構成されていることを特徴とする、第４０の態様のクランプ装置である。
本発明の第４２の態様は、
前記第１の可動把持部及び前記第２の可動把持部は、前記少なくとも１つのバイアス部材が許容される最大の変形をうけたとき、互いにかみ合う指部を有することを特徴とする、第３４の態様のクランプ装置である。
本発明の第４３の態様は、
前記少なくとも１つのバイアス部材は、前記第１の可動把持部及び前記第２の可動把持部に、互いに相手方に向かうようなバイアスをかけるよう構成されていることを特徴とする、第３４の態様のクランプ装置である。
本発明の第４４の態様は、
前記第１の可動把持部及び前記第２の可動把持部は、支柱に接近するよう構成されていることを特徴とする、第３４の態様のクランプ装置である。
本発明の第４５の態様は、
前記少なくとも１つのバイアス部材は、ばねであることを特徴とする、第３４の態様のクランプ装置である。
本発明の第４６の態様は、
前記少なくとも１つのバイアス部材は、薄板ばねであることを特徴とする、第３４の態様のクランプ装置である。
本発明の第４７の態様は、
前記少なくとも１つのバイアス部材は、重ね板ばねであることを特徴とする、第３４の態様のクランプ装置である。
本発明の第４８の態様は、
前記少なくとも１つのバイアス部材には、あらかじめ張力が加えられていることを特徴とする、第３４の態様のクランプ装置である。
本発明の第４９の態様は、
前記第１のハンドル及び前記第２のハンドルは、パドルであることを特徴とする、第３４の態様のクランプ装置である。
本発明の第５０の態様は、
前記第１のハンドル及び前記第２のハンドルは作動可能であることを特徴とする、第３４の態様のクランプ装置である。
本発明の第５１の態様は、
前記第１の把持部及び前記第２の把持部はゴムであることを特徴とする、第３４の態様のクランプ装置である。
本発明の第５２の態様は、
前記第１のハンドル及び前記第２のハンドルは、独立して操作できるように前記本体にピンで取り付けられていることを特徴とする、第３４の態様のクランプ装置である。
本発明の第５３の態様は、
前記第１のハンドル及び前記第２のハンドルは、独立してヒンジで前記本体に取り付けられていることを特徴とする、第３４の態様のクランプ装置である。
本発明の第５４の態様は、
前記第１のハンドル及び前記第２のハンドルが前記本体に取り付けられたヒンジの軸は平行であることを特徴とする、第３４の態様のクランプ装置である。
本発明の第５５の態様は、
前記第１の可動把持部及び前記第２の可動把持部は、窪みのある内側面で向かい合っていることを特徴とする、第３４の態様のクランプ装置である。
本発明の第５６の態様は、
前記クランプは、医療用デバイスを支持支柱に取り付けるよう構成されていることを特徴とする、第３４の態様のクランプ装置である。
本発明の第５７の態様は、
前記クランプは、医療用デバイスをＩＶポールに取り付けるよう構成されていることを特徴とする、第３４の態様のクランプ装置である。
本発明の第５８の態様は、
前記医療用デバイスは、タブレットコンピュータを具備するモニタであることを特徴とする、第５７の態様のクランプ装置である。
本発明の第５９の態様は、
第１の端部及び第２の端部を有する本体と、
前記本体の前記第１の端部に動作可能に取り付けられたレバーと、
前記本体の中間部に動作可能に取り付けられた可動把持部と、
前記本体の前記第２の端部に配置される少なくとも２つの固定把持部と、
前記レバーに動作可能に取り付けるよう構成された第１の端部、及び、前記可動把持部に動作可能に取り付けるよう構成された第２の端部を有するコネクタ部材と、
を具備するクランプ装置である。
本発明の第６０の態様は、
前記可動把持部は、概略楔型で、狭い端部及び広い端部を有することを特徴とする、第５９の態様のクランプ装置である。
本発明の第６１の態様は、
前記可動把持部の前記狭い端部は、前記本体に取り付けられていることを特徴とする、第５９の態様のクランプ装置である。
本発明の第６２の態様は、
前記可動把持部は、前記可動把持部の前記狭い端部の周りで回転可能であることを特徴とする、第５９の態様のクランプ装置である。
本発明の第６３の態様は、
前記複数の固定把持部に面する、前記可動把持部の前記広い端部の表面は、窪みがあることを特徴とする、第６０の態様のクランプ装置である。
本発明の第６４の態様は、
前記複数の固定把持部に面する、前記可動把持部の前記広い端部の表面は、輪郭に合わせた面を有することを特徴とする、第６０の態様のクランプ装置である。
本発明の第６５の態様は、
前記複数の固定把持部に面する、前記可動把持部の前記広い端部の表面は、支柱形状にぴったり合うよう構成されていることを特徴とする、第６０の態様のクランプ装置である。
本発明の第６６の態様は、
前記可動把持部及び前記少なくとも２つの固定把持部は、把持される物にかみ合うよう構成された把持面を具備することを特徴とする、第５９の態様のクランプ装置である。
本発明の第６７の態様は、
前記把持面は、把持される物をしっかりと掴むが、把持される物を変形させない素材で構成されていることを特徴とする、第６６の態様のクランプ装置である。
本発明の第６８の態様は、
前記把持部は支柱の上で閉まるよう構成されていることを特徴とする、第５９の態様のクランプ装置である。
本発明の第６９の態様は、
前記把持部はゴムであることを特徴とする、第５９の態様のクランプ装置である。
本発明の第７０の態様は、
前記把持部は、弾力性があってしっかりと掴める素材でコーティングされていることを特徴とする、第５９の態様のクランプ装置である。
本発明の第７１の態様は、
前記本体は、前記少なくとも２つの固定把持部が取り付けられているバックプレートを具備することを特徴とする、第５９の態様のクランプ装置である。
本発明の第７２の態様は、
前記可動把持部及び前記少なくとも２つの固定把持部は、把持される物の外周を自動的に模倣するよう構成されていることを特徴とする、第５９の態様のクランプ装置である。
本発明の第７３の態様は、
前記少なくとも２つの固定把持部は、前記本体から垂直に突き出る円筒部であり、該円筒ぶは、該円筒部のそれぞれのベースで前記本体に取り付けられていることを特徴とする、第５９の態様のクランプ装置である。
本発明の第７４の態様は、
前記円筒部は、窪みのあるバレル部を有することを特徴とする、第７３の態様のクランプ装置である。
本発明の第７５の態様は、
前記円筒部は、概ね砂時計のような形そしており、該円筒部は、中央部で狭くなっていることを特徴とする、第７３の態様のクランプ装置である。
本発明の第７６の態様は、
前記可動把持部の前記広い端部は、隆起した表面を有することを特徴とする、第６０の態様のクランプ装置である。
本発明の第７７の態様は、
前記隆起した表面は、前記楔型可動把持部の前記広い端部に沿って伸びていることを特徴とする、第７６の態様のクランプ装置である。
本発明の第７８の態様は、
前記コネクタ部材は、該コネクタ部材の作動により、前記可動把持部を回転させるよう構成されていることを特徴とする、第５９の態様のクランプ装置である。
本発明の第７９の態様は、
前記コネクタ部材には、バイアス部材が含まれていることを特徴とする、第５９の態様のクランプ装置である。
本発明の第８０の態様は、
前記バイアス部材は、ばねであることを特徴とする、第７９の態様のクランプ装置である。
本発明の第８１の態様は、
前記バイアス部材は、圧縮ばねであることを特徴とする、第７９の態様のクランプ装置である。
本発明の第８２の態様は、
前記バイアス部材は、圧縮性ばねであることを特徴とする、第７９の態様のクランプ装置である。
本発明の第８３の態様は、
前記バイアス部材は、伸張ばねであることを特徴とする、第７９の態様のクランプ装置である。
本発明の第８４の態様は、
前記コネクタ部材には、ピストンが含まれることを特徴とする、第５９の態様のクランプ装置である。
本発明の第８５の態様は、
前記コネクタ部材には、ばねでバイアスをかけたピストンが含まれることを特徴とする、第５９の態様のクランプ装置である。
本発明の第８６の態様は、
前記少なくとも１つのバイアス部材は、前記コネクタ部材が前記可動把持部に向かって動くことにより機械的エネルギーを蓄えるよう構成されていることを特徴とする、第７９の態様のクランプ装置である。
本発明の第８７の態様は、
前記コネクタ部材は、該コネクタ部材の第１の端部で前記レバーに回転可能に接続され、前記コネクタ部材の第２の端部で前記可動把持部に回転可能に接続されていることを特徴とする、第５９の態様のクランプ装置である。
本発明の第８８の態様は、
前記コネクタ部材は、レバージョイントに取り付けられ、該レバージョイントは、前記レバーの端部に設置されていることを特徴とする、第５９の態様のクランプ装置である。
本発明の第８９の態様は、
前記コネクタ部材は、前記レバーの動作により、前記可動把持部に向かって伸び、これにより前記可動把持部を前記固定把持部に向かって回転させることを特徴とする、第５９の態様のクランプ装置である。
本発明の第９０の態様は、
前記コネクタ部材に取り付けられたバイアス部材支持材と、
前記コネクタ部材に取り付けられ、前記バイアス部材及びバイアス部材支持材を囲むバイアス部材ハウジングと、
をさらに具備することを特徴とする、第７９の態様のクランプ装置である。
本発明の第９１の態様は、
前記バイアス部材支持材は、前記バイアス部材の径より小さい径を持つ部分を有することを特徴とする、第９０の態様のクランプ装置である。
本発明の第９２の態様は、
前記部分は、前記バイアス部材の前記径の内部に取り付けるよう配置されていることを特徴とする、第９１の態様のクランプ装置である。
本発明の第９３の態様は、
前記バイアス部材ハウジングは、シールされた端部を有する空洞であることを特徴とする、第９０の態様のクランプ装置である。
本発明の第９４の態様は、
前記バイアス部材ハウジングは、前記バイアス部材の径より大きい径を持つ部分を有することを特徴とする、第９０の態様のクランプ装置である。
本発明の第９５の態様は、
前記レバーは、ハンドルであることを特徴とする、第５９の態様のクランプ装置である。
本発明の第９６の態様は、
前記レバーは、前記レバーを作動させることにより前記本体に向かって回転するよう構成されていることを特徴とする、第５９の態様のクランプ装置である。
本発明の第９７の態様は、
前記レバーには、前記レバーの上端を取り囲む摺動可能なリングが含まれ、該上端は、レバージョイントの最も近傍にあることを特徴とする、第５９の態様のクランプ装置である。
本発明の第９８の態様は、
前記レバーは、前記コネクタ部材を第１の位置に向かって動かし、それにより、前記可動把持部を前記固定把持部に向かって動かすよう構成されていることを特徴とする、第５９の態様のクランプ装置である。
本発明の第９９の態様は、
前記レバーはさらに、前記コネクタ部材を第２の位置に向かって動かし、それにより、前記可動把持部を前記固定把持部から離すよう構成されていることを特徴とする、第９８の態様のクランプ装置である。
本発明の第１００の態様は、
前記可動把持部は、前記レバーをさらに動作させ、前記コネクタ部材を動かし続けるようにしている間に、物に当たったとき停止するよう構成されていることを特徴とする、第９９の態様のクランプ装置である。
本発明の第１０１の態様は、
前記レバーには、前記レバーをロック位置から解除するよう構成された摺動可能なリングが含まれることを特徴とする、第５９の態様のクランプ装置である。
本発明の第１０２の態様は、
前記摺動可能なリングは、前記レバージョイント中のノッチからずらし、前記レバーのロックを解除して前記レバーが回転できるようにするよう構成されていることを特徴とする、第１０１の態様のクランプ装置である。
本発明の第１０３の態様は、
前記摺動可能なリングには、前記摺動可能なリングのノッチ位置に向けるよう構成されたリングバイアス部材が含まれることを特徴とする、第１０２の態様のクランプ装置である。
本発明の第１０４の態様は、
前記リングバイアス部材は、ばねであることを特徴とする、第１０３の態様のクランプ装置である。
本発明の第１０５の態様は、
前記ばねは、圧縮ばね又は伸張ばねであることを特徴とする、第１０４の態様のクランプ装置である。
本発明の第１０６の態様は、
歯止めと、
第１の端部及び第２の端部を有する摺動可能な部材であって、前記第１の端部はレバージョイントと接触し、前記レバーの端部に設置され、前記第２の端部は前記歯止めと接触することを特徴とする、摺動可能な部材と
を具備する施錠アセンブリ、
を具備することを特徴とする第５９の態様のクランプ装置である。
本発明の第１０７の態様は、
前記歯止めは、回転可能に前記施錠アセンブリに取り付けられ、前記歯止めは、前記可動把持部の上部隆起した表面に接触しながら回転するよう構成され、前記把持部をロックすることを特徴とする、第１０６の態様のクランプ装置である。
本発明の第１０８の態様は、
前記歯止めには、歯止めバイアス部材が含まれることを特徴とする、第１０７の態様のクランプ装置である。
本発明の第１０９の態様は、
前記歯止めバイアス部材は、ばねであることを特徴とする、第１０８の態様のクランプ装置である。
本発明の第１１０の態様は、
前記歯止めバイアス部材は、ねじりばねであることを特徴とする、第１０９の態様のクランプ装置である。
本発明の第１１１の態様は、
前記レバージョイントは、前記摺動可能な部材の前記第１の端部と接触する外面を有することを特徴とする、第１０６の態様のクランプ装置である。
本発明の第１１２の態様は、
前記レバージョイントの外面は、窪み部を有することを特徴とする、第１１１の態様のクランプ装置である。
本発明の第１１３の態様は、
前記施錠アセンブリは、前記摺動可能な部材を前記レバージョイントの前記窪み部へと動かし、前記歯止めを回転させて前記可動把持部と接触させ、それにより前記可動把持部を所定の場所にロックさせるよう構成されていることを特徴とする、第１１２の態様のクランプ装置である。
本発明の第１１４の態様は、
前記クランプは、医療用デバイス及び医療用付属品と共に使用するよう構成されていることを特徴とする、第５９の態様のクランプ装置である。
本発明の第１１５の態様は、
前記クランプには、前記クランプに荷物を取り付ける手段が含まれることを特徴とする、第５９の態様のクランプ装置である。
本発明の第１１６の態様は、
前記荷物は医療用デバイスであることを特徴とする、第１１５の態様のクランプ装置である。
本発明の第１１７の態様は、
前記医療用デバイスは、蠕動注入ポンプ又はシリンジ注入ポンプであることを特徴とする、第１１６の態様のクランプ装置である。
本発明の第１１８の態様は、
前記医療用デバイスは、タブレットコンピュータを具備するモニタであることを特徴とする、第１１６の態様のクランプ装置である。
本発明の第１１９の態様は、
前記クランプは、医療用デバイスを支持支柱に取り付けるよう構成されていることを特徴とする、第５９の態様のクランプ装置である。
本発明の第１２０の態様は、
前記クランプは、医療用デバイスをＩＶポールに取り付けるよう構成されていることを特徴とする、第５９の態様のクランプ装置である。
本発明の第１２１の態様は、
第１のトラック及び第２のトラックを含むハウジングと、
前記ハウジングに取り付けられた固定把持部と、
前記ハウジングの前記第１のトラック及び前記第２のトラック内で摺動するよう構成されている駆動部と、
前記駆動部に動作可能に取り付けられた可動把持部と、
前記駆動部を第１の位置に向けて動かし、それにより、前記可動把持部を前記固定把持部に向けて動かすよう構成されているアクチュエータであって、該アクチュエータはさらに、前記駆動部第２の位置に向けて動かし、それにより、前記可動把持部を前記固定把持部から離すことを特徴とするアクチュエータと、
を具備するクランプである。
本発明の第１２２の態様は、
前記アクチュエータは、前記ハウジングに回動可能に取り付けられたハンドルであることを特徴とする、第１２１の態様のクランプである。
本発明の第１２３の態様は、
第１のリンク機構及び第２のリンク機構をさらに具備し、前記第１のリンク機構は、前記ハンドルの第１の側部及び前記駆動部の第１の側部に取り付けられ、前記第２のリンク機構は、前記ハンドルの第２の側部及び前記駆動部の第２の側部に取り付けられていることを特徴とする、第１２２の態様のクランプである。
本発明の第１２４の態様は、
前記駆動部に摺動可能に取り付けられている摺動把持部をさらに具備することを特徴とする、第１２１の態様のクランプである。
本発明の第１２５の態様は、
前記駆動部内の前記摺動把持部に、前記固定把持部に向かうバイアスをかけるよう構成されているバイアス部材をさらに具備することを特徴とする、第１２４の態様のクランプである。
本発明の第１２６の態様は、
前記駆動部に対して前記摺動把持部が前記駆動部の所定の位置より向こうに移動するのを妨げるよう構成されているストップ部材が含まれることを特徴とする、第１２５の態様のクランプである。
本発明の第１２７の態様は、
前記可動把持部は、前記摺動把持部に取り付けられていることを特徴とする、第１２６の態様のクランプである。
本発明の第１２８の態様は、
前記バイアス部材は、定荷重ばねであることを特徴とする、第１２５の態様のクランプである。
本発明の第１２９の態様は、
前記バイアス部材は圧縮ばねであることを特徴とする、第１２５の態様のクランプである。
本発明の第１３０の態様は、
前記クランプは、前記アクチュエータを動作させ、前記駆動部を動かし続けるようにしている間に、物に当たったとき前記摺動把持部を停止させるよう構成されていることを特徴とする、第１２４の態様のクランプである。
本発明の第１３１の態様は、
前記摺動把持部は、前記可動把持部に堅固に取り付けられ、前記クランプはさらに、前記駆動部内で前記摺動把持部に、前記固定把持部に向かうバイアスをかけるよう構成されているバイアス部材を具備することを特徴とする、第１２４の態様のクランプである。
本発明の第１３２の態様は、
ハウジングと、
前記ハウジングに堅固に取り付けられた固定把持手段と、
前記クランプを物に把持させる可動把持手段と、
を具備するクランプである。
本発明の第１３３の態様は、
ガイド部材と、
コネクタと、
第１の端部及び第２の端部を有するよう構成されている作動部材であって、該作動部材の前記第１の端部は前記ガイド部材に回動可能に取り付けられていることを特徴とする作動部材と、
前記ガイド部材に回動可能に取り付けられ、前記作動部材が第１の方向に回動したとき前記コネクタの覆いを外すよう回動し、前記作動部材が第２の方向の方向に回動したとき前記コネクタを覆うよう回動するように前記作動部材と相互作用するよう構成されているカバー部材と、
を具備する保護機構である。
本発明の第１３４の態様は、
ガイド部材面に配置されたバックストップ部材をさらに具備し、該バックストップ部材は、前記ガイド部材面に対してほぼ垂直であることを特徴とする、第１３３の態様の保護機構である。
本発明の第１３５の態様は、
前記コネクタは、前記バックストップ部材上に設置されていることを特徴とする、第１３３の態様の保護機構である。
本発明の第１３６の態様は、
前記バックストップ部材は、バックストップ部材面をさらに具備し、該バックストップ部材面は、前記カバー部材の少なくとも一部を受け入れるよう構成されている窪み部を有することを特徴とする、第１３５の態様の保護機構である。
本発明の第１３７の態様は、
前記第１のバックストップ部材は、バックストップ部材面をさらに具備し、該バックストップ部材面には、前記カバー部材の少なくとも一部を受け入れるよう構成されている開口が含まれていることを特徴とする、第１３５の態様の保護機構である。
本発明の第１３８の態様は、
前記カバー部材は、前記作動部材が前記第１の方向に回動して第１の位置に動いたとき、前記コネクタの覆いを外し、前記第２の方向に回動して第２の位置に動いたとき、前記第１の方向は前記第２の方向の反対であり、前記カバー部材は、前記コネクタを覆うことを特徴とする、第１３５の態様の保護機構である。
本発明の第１３９の態様は、
バックストップ部材と取り付けられた第１のコンプライアントガスケットをさらに具備し、該第１のコンプライアントガスケットは、前記コネクタを囲むよう構成されていることを特徴とする、第１３３の態様の保護機構である。
本発明の第１４０の態様は、
前記カバー部材には、前記作動部材が第１の位置にあり、前記コネクタが前記カバー部材で覆われているとき、前記コンプライアントガスケットをシールする周囲リブが含まれていることを特徴とする、第１３９の態様の保護機構である。
本発明の第１４１の態様は、
前記バックストップ部材と取り付けられた第２のコンプライアントガスケットをさらに具備することを特徴とする、第１３９の態様の保護機構である。
本発明の第１４２の態様は、
前記カバー部材には、前記作動部材が第２の位置にあり、前記コネクタの覆いが外されたとき、前記第２のコンプライアントガスケットをシールするのに適した周囲リブが含まれることを特徴とする、第１４１の態様の保護機構である。
本発明の第１４３の態様は、
第１のレール突起部及び第２のレール突起部をさらに具備し、前記第１のレール突起部は、前記第２のレール突起部にほぼ平行に、且つ、間隔を開けて設置されることを特徴とする、第１３３の態様の保護機構である。
本発明の第１４４の態様は、
前記ガイド部材に開口が設けられ、該開口は、前記作動部材の少なくとも一部を受け入れるよう構成されていることを特徴とする、第１３３の態様の保護機構である。
本発明の第１４５の態様は、
第１のレール突起部及び第２のレール突起部をさらに具備し、前記第１のレール突起部及び前記第２のレール突起部は、前記ガイド部材の前記開口の反対側に設置されることを特徴とする、第１４４の態様の保護機構である。
本発明の第１４６の態様は、
前記ガイド部材はガイド部材面に設けられた窪み部を画定し、前記ガイド部材の前記窪み部は、前記作動部材の一部を受け入れるよう構成されていることを特徴とする、第１３３の態様に記載の保護機構である。
本発明の第１４７の態様は、
第１のレール突起部及び第２のレール突起部をさらに具備し、各突起部は、それぞれのウェブ部及びそれぞれの頭部を含み、前記それぞれのウェブ部は、前記それぞれの頭部をガイド部材面に取り付け、前記第１のレール突起部及び前記第２のレール突起部は、前記ガイド部材の前記窪み部の反対側に設置されていることを特徴とする、第１４６の態様の保護機構である。
本発明の第１４８の態様は、
前記作動部材には斜面が含まれ、
前記斜面は前記作動部材の傾斜部を画定し、前記作動部材の傾斜部の断面領域が前記作動部材の前記第１の端部から、前記斜面が終わるところとなる前記作動部材の前記第１の端部と前記第２の端部との間の点にゆくにつれて増大するように、前記作動部材の前記傾斜部を画定し、
前記作動部材が第１の位置にあるとき、前記斜面は、ガイド部材面の前記面から突き出し、
前記作動部材が第２の位置にあるとき、前記斜面は、前記ガイド部材面の前記面に実質的に横たわることを特徴とする、第１３３の態様に記載の保護機構である。
本発明の第１４９の態様は、
少なくとも１つの作動ばねをさらに具備し、
前記少なくとも１つの作動ばねの各々は、それぞれの第１の端部及びそれぞれの第２の端部を有し、
前記少なくとも１つの作動ばねのそれぞれの第１の端部は、前記作動部材に取り付けられ、
前記少なくとも１つの作動ばねのそれぞれの第２の端部は、前記ガイド部材に取り付けられ、
前記少なくとも１つの作動ばねは、前記作動部材に前記第１の位置へのバイアスをかけるよう構成されていることを特徴とする、第１４８の態様の保護機構である。
本発明の第１５０の態様は、
第１の端部及び第２の端部を有するよう構成されているラッチ部材をさらに具備し、該ラッチ部材は、該ラッチ部材の前記第１の端部との間のピボットポイントで前記ガイド部材と回動可能に取り付けられていることを特徴とする、第１３３の態様の保護機構である。
本発明の第１５１の態様は、
前記ラッチ部材の前記第１の端部と前記ピボットポイントとの間で、前記ラッチ部材に開口が画定され、前記ラッチ部材の前記開口は、前記作動部材の一部を受け入れるよう構成されていることを特徴とする、第１５０の態様の保護機構である。
本発明の第１５２の態様は、
前記ラッチ部材には、該ラッチ部材の前記第１の端部に設置されたラッチ突起部が含まれ、該ラッチ突起部は、前記ラッチ部材がラッチ位置にあるとき、ガイド部材面から突き出るよう構成されていることを特徴とする、第１５０の態様の保護機構である。
本発明の第１５３の態様は、
少なくとも１つのラッチばねをさらに具備し、
前記少なくとも１つのラッチばねの各々は、それぞれの第１の端部及びそれぞれの第２の端部を有し、
前記少なくとも１つのラッチばねの前記それぞれの第１の端部は、前記ガイド部材に取り付けられ、
前記少なくとも１つのラッチばねの前記それぞれの第２の端部は、前記ピボットポイントと前記ラッチ部材の前記第２の端部との間のそれぞれのポイントで、前記ラッチ部材と取り付けられ、
前記少なくとも１つのラッチばねは、前記ラッチ部材にラッチ位置へのバイアスをかけることを特徴とする、第１５０の態様の保護機構である。
本発明の第１５４の態様は、
前記ガイド部材に取り付けられ、前記ラッチ部材がラッチ位置に回動したとき、少なくとも１つの停止用突起部が前記ラッチ部材の回動を止めることができるように、前記ラッチ部材の前記ピボットポイントに対して間隔を持たせて配置されている、前記少なくとも１つの停止用突起部をさらに具備することを特徴とする、第１５０の態様の保護機構である。
本発明の第１５５の態様は、
前記保護機構は、医療用デバイスを前記コネクタに動作可能にかみ合わせたとき、前記コネクタを保護するよう構成されていることを特徴とする、第１３３の態様の保護機構である。
本発明の第１５６の態様は、
前記コネクタは、患者観察装置と整合させるよう構成されていることを特徴とする、第１３３の態様の保護機構である。
本発明の第１５７の態様は、
ガイド部材面を有するガイド部材と、
前記ガイド部材に設置され、前記ガイド部材面にほぼ垂直なバックストップ部材であって、該前記バックストップ部材は、バックストップ部材面を有するよう構成されていることを特徴とする、バックストップ部材と、
前記バックストップ部材面の設置されたコネクタと、
第１の端部及び第２の端部を有するよう構成されている作動部材であって、該作動部材の前記第１の端部は、前記ガイド部材に回動可能に取り付けられていることを特徴とする、作動部材と、
第１の端部及び第２の端部を有するよう構成されている保護部材であって、該保護部材の前記第１の端部は、前記ガイド部材及び前記バックストップ部材のうちの１つに回動可能に取り付けられ、前記保護部材の前記第２の端部には、前記コネクタを覆うよう構成されたカバー部分が含まれ、前記保護部材は前記作動部材とかみ合うようになっていることを特徴とする、保護部材と、
を具備し、
第１の位置から第２の位置への第１の方向への回動により、前記保護部材を保護位置から非保護位置に回動させ、それにより、前記コネクタの覆いを外し、
反対に、前記第２の位置から前記第１の位置への第２の方向への回動により、前記保護部材を非保護位置から保護位置に回動させ、それにより、前記コネクタを覆う、
ことを特徴とする保護機構である。
本発明の第１５８の態様は、
前記保護機構は、前記コネクタとかみ合わせるために医療用デバイスを動作可能に把持するとき、前記コネクタを保護するよう構成されていることを特徴とする第１５７の態様の保護機構である。
本発明の第１５９の態様は、
前記コネクタは、患者観察装置と整合させるよう構成されていることを特徴とする、第１５７の態様の保護機構である。
本発明の第１６０の態様は、
医療用デバイスを受け入れるよう構成されているドックと、
前記ドックと取り付けられた保護機構であって、前記保護機構は、
ガイド部材と
コネクタと、
第１の端部及び第２の端部を有するよう構成されている作動部材であって、該作動部材の前記第１の端部は、前記ガイド部材に回動可能に取り付けられていることを特徴とする、作動部材と、
前記ガイド部材に回動可能に取り付けられ、前記作動部材が第１の方向に回動したとき前記コネクタの覆いを外すよう回動し、前記作動部材が第２の方向に回動したとき前記コネクタを覆うよう回動するように、前記作動部材と相互作用を行うよう構成されていることを特徴とする、作動部材と、
を具備することを特徴とする保護機構と、
を具備する装置である。
本発明の第１６１の態様は、
前記保護機構は、前記コネクタとかみ合わせるために動作可能に医療用デバイス把持するとき、前記コネクタを保護するよう構成されていることを特徴とする第１６０の態様の装置である。
本発明の第１６２の態様は、
前記コネクタは、患者観察装置と整合するよう構成されていることを特徴とする、第１６０の態様の保護機構である。
本発明の第１６３の態様は、
ドックを有するラックであって、該ドックは、該ラックに動作可能に把持されたとき医療用デバイスを受け入れるよう構成されていることを特徴とするラックと、
前記ドックに取り付けられた保護機構であって、該保護機構は、
ガイド部材と、
コネクタと、
第１の端部及び第２の端部を有するよう構成されている作動部材であって、前記作動部材の前記第１の端部は前記ガイド部材に回動可能に取り付けられていることを特徴とする作動部材と、
前記ガイド部材に回動可能に取り付けられ、前記作動部材が第１の方向に回動したとき前記コネクタの覆いを外すよう回動し、前記作動部材が第２の方向に回動したとき前記コネクタを覆うよう回動するよう、前記作動部材と相互作用するよう構成されているカバー部材と、
を具備することを特徴とする保護機構と、
を具備するシステムである。
本発明の第１６４の態様は、
前記コネクタとかみ合うよう構成された患者観察装置をさらに具備する第１６３の態様のシステムである。
本発明の第１６５の態様は、
医療用デバイスをラックに把持するときにコネクタを保護する方法であって、該方法は、
前記医療用デバイスを前記コネクタに導くステップと、
第１の端部及び第２の端部を有し、前記作動部材の前記第１の端部は前記ガイド部材に回動可能に取り付けられたアクチュエータ部材を動作させるステップと、
前記ガイド部材に回動可能に取り付けられ、前記作動部材が第１の方向に回動したとき前記コネクタの覆いを外すよう回動し、前記作動部材が第２の方向に回動したとき前記コネクタを覆うよう回動するよう、前記作動部材と相互作用するよう構成されているカバー部材を回動させるステップと、
を具備することを特徴とする方法である。
本発明の第１６６の態様は、
前記医療用デバイスは患者観察装置であることを特徴とする第１６５の態様の方法である。
本発明の第１６７の態様は、
第１３３の態様の保護機構と、
医療用デバイスを受け入れるよう構成されているドックを有するラックと、
前記ラックに前記ドックを取り付けるよう構成されているクランプであって、該クランプは、
第１のトラック及び第２のトラックを含むハウジングと、
前記ハウジングに取り付けられた固定把持部と、
前記第１のトラック及び前記第２のトラック内で摺動するよう構成された駆動部であって、
前記駆動部に摺動可能に取り付けられた摺動把持部と、
前記駆動部内で前記摺動把持部に前記固定把持部に向けてバイアスをかけるよう構成された定荷重ばねであって、該定荷重ばねは少なくとも１つの取り付け具で前記駆動部に固定的に取り付けられていることを特徴とする定荷重ばねと、
を具備することを特徴とする駆動部と、
前記駆動部に動作可能に取り付けられた可動把持部と、
前記駆動部を第１の位置に向けて動かし、それにより前記可動把持部を前記固定把持部に向けて動かすよう構成されているアクチュエータであって、該アクチュエータはさらに、前記駆動部を第２の位置に向けて動かし、それにより前記可動把持部を前記固定把持部から離すよう構成されていることを特徴とするアクチュエータと、
を具備することを特徴とするクランプと、
を具備するシステムである。
本発明の第１６８の態様は、
第１３３の態様の保護機構と、
コネクタを具備する医療用デバイスと、
ドックを有するラックであって、前記ドックは、前記医療用デバイスの前記コネクタに対する相手コネクタを具備し、前記ドックの前記コネクタは、前記医療用デバイスが動作可能に前記ラックに把持されたとき、前記医療用デバイスの前記コネクタとうまく揃うことを特徴とするラックと、
を具備するシステムである。
本発明の第１６９の態様は、
第１５７の態様の保護機構と、
医療用デバイスを受け入れるよう構成されているドックを有するラックと、
前記ラックに前記ドックを取り付けるよう構成されているクランプであって、該クランプは、
第１のトラック及び第２のトラックを含むハウジングと、
前記ハウジングに取り付けられた固定把持部と、
前記第１のトラック及び前記第２のトラック内で摺動するよう構成された駆動部であって、
前記駆動部に摺動可能に取り付けられた摺動把持部と、
前記駆動部内で前記摺動把持部に前記固定把持部に向けてバイアスをかけるよう構成された定荷重ばねであって、該定荷重ばねは少なくとも１つの取り付け具で前記駆動部に固定的に取り付けられていることを特徴とする定荷重ばねと、
を具備することを特徴とする駆動部と、
前記駆動部に動作可能に取り付けられた可動把持部と、
前記駆動部を第１の位置に向けて動かし、それにより前記可動把持部を前記固定把持部に向けて動かすよう構成されているアクチュエータであって、該アクチュエータはさらに、前記駆動部を第２の位置に向けて動かし、それにより前記可動把持部を前記固定把持部から離すよう構成されていることを特徴とするアクチュエータと、
を具備することを特徴とするクランプと、
を具備するシステムである。
本発明の第１７０の態様は、
第１５７の態様の保護機構と、
コネクタを具備する医療用デバイスと、
ドックを有するラックであって、前記ドックは、前記医療用デバイスの前記コネクタに対する相手コネクタを具備し、前記ドックの前記コネクタは、前記医療用デバイスが動作可能に前記ラックに把持されたとき、前記医療用デバイスの前記コネクタとうまく揃うことを特徴とするラックと、
を具備するシステムである。
本発明の第１７１の態様は、
ラックと、
前記ラックに前記ドックを取り付けるよう構成されているクランプであって、該クランプは、
第１のトラック及び第２のトラックを含むハウジングと、
前記ハウジングに取り付けられた固定把持部と、
前記第１のトラック及び前記第２のトラック内で摺動するよう構成された駆動部であって、
前記駆動部に摺動可能に取り付けられた摺動把持部と、
前記駆動部内で前記摺動把持部に前記固定把持部に向けてバイアスをかけるよう構成された定荷重ばねであって、該定荷重ばねは少なくとも１つの取り付け具で前記駆動部に固定的に取り付けられていることを特徴とする定荷重ばねと、
を具備することを特徴とする駆動部と、
前記駆動部に動作可能に取り付けられた可動把持部と、
前記駆動部を第１の位置に向けて動かし、それにより前記可動把持部を前記固定把持部に向けて動かすよう構成されているアクチュエータであって、該アクチュエータはさらに、前記駆動部を第２の位置に向けて動かし、それにより前記可動把持部を前記固定把持部から離すよう構成されていることを特徴とするアクチュエータと、
を具備することを特徴とするクランプと、
をさらに具備することを特徴とする第１６０の態様の装置である。
本発明の第１７２の態様は、
前記医療用デバイスはさらに、前記保護機構の前記コネクタに対する相手コネクタを具備し、前記保護機構の前記コネクタは、前記医療用デバイスが前記ドックに受け入れられたとき、前記医療用デバイスに設置された前記相手コネクタとうまく揃うよう構成されていることを特徴とする第１６０の態様の装置である。
本発明の第１７３の態様は、
前記ラックに前記ドックを取り付けるよう構成されているクランプであって、該クランプは、
第１のトラック及び第２のトラックを含むハウジングと、
前記ハウジングに取り付けられた固定把持部と、
前記第１のトラック及び前記第２のトラック内で摺動するよう構成された駆動部であって、
前記駆動部に摺動可能に取り付けられた摺動把持部と、
前記駆動部内で前記摺動把持部に前記固定把持部に向けてバイアスをかけるよう構成された定荷重ばねであって、該定荷重ばねは少なくとも１つの取り付け具で前記駆動部に固定的に取り付けられていることを特徴とする定荷重ばねと、
を具備することを特徴とする駆動部と、
前記駆動部に動作可能に取り付けられた可動把持部と、
前記駆動部を第１の位置に向けて動かし、それにより前記可動把持部を前記固定把持部に向けて動かすよう構成されているアクチュエータであって、該アクチュエータはさらに、前記駆動部を第２の位置に向けて動かし、それにより前記可動把持部を前記固定把持部から離すよう構成されていることを特徴とするアクチュエータと、
を具備することを特徴とするクランプをさらに具備することを特徴とする第１６３の態様のシステムである。
本発明の第１７４の態様は、
前記医療用デバイスはさらに、前記保護機構の前記コネクタに対する相手コネクタを具備し、前記保護機構の前記コネクタは、前記医療用デバイスが前記ドックに受け入れられたとき、前記医療用デバイスに設置された前記相手コネクタとうまく揃うよう構成されていることを特徴とする第１６３の態様のシステムである。
本発明の第１７５の態様は、
前記医療用デバイスを前記コネクタに導くステップはさらに、適切にかみ合うよう前記コネクタを前記医療用デバイスのコネクタと揃えるステップをさらに具備することを特徴とする第１６５の態様の方法である。